(57)【要約】【課題】容器本体底部を確実に簡単に補強でき、破砕体の振動による容器本体底部の損傷を確実に防止でき、正確な分析が可能で、感染の危険性がなく、構成簡素で、堅牢で、耐久性に優れ、量産に適し、低廉で、経済的な細胞破砕用容器及び製造方法を提供する。【解決手段】適宜合成樹脂製で略有底円筒状の容器本体Ａと、この容器本体Ａの上部開口部分を施蓋可能な適宜合成樹脂製の蓋体Ｂと、容器本体Ａの底部に配される適宜金属製の底部補強体１とを少なくとも備え、破砕体の振動による容器本体Ａ底部の損傷を、底部補強体１で阻止できるように構成する。【選択図】図２
2007319736.tif 000002
【特許請求の範囲】
【請求項１】
適宜検体と適宜破砕体とを収納できるように形成されると共に、適宜破砕装置によってその筒芯方向に沿う振動が加えられ、検体が破砕体によって細かく破砕される細胞破砕用容器であって、適宜合成樹脂製で略有底円筒状の容器本体と、この容器本体の上部開口部分を密閉可能な適宜合成樹脂製の蓋体と、容器本体の底部に配される適宜金属製の底部補強体とを少なくとも備え、この底部補強体によって破砕体の振動による容器本体底部の損傷を阻止できるように構成したことを特徴とする細胞破砕用容器。
【請求項２】
適宜検体と適宜破砕体とを収納できるように形成されると共に、適宜破砕装置によってその筒芯方向に沿う振動が加えられ、検体が破砕体によって細かく破砕される細胞破砕用容器であって、適宜合成樹脂製で略有底円筒状の容器本体と、この容器本体の上部開口部分を密閉可能な適宜合成樹脂製の蓋体と、容器本体の底部に配される適宜金属製の底部補強体と、蓋体の基板部に配される適宜金属製の蓋用補強体とを備え、底部補強体及び蓋用補強体によって破砕体の振動による容器本体の底部及び蓋体の基板部の損傷を阻止できるように構成したことを特徴とする細胞破砕用容器。
【請求項３】
前記底部補強体は、容器本体の底部内周表面に沿うように形成され、その上部の開口周縁部を斜上方に拡開するように形成すると共に、その上端周縁が容器本体の内壁面を圧迫或いは食込むように構成したことを特徴とする請求項１または請求項２記載の細胞破砕用容器。
【請求項４】
前記蓋用補強体は、蓋体の基板部内表面に密接するように形成されると共に、蓋用補強体自身の塑性変形によって、その外周縁が蓋体の凹部の内壁面を圧迫或いは食込むように構成したことを特徴とする請求項２または請求項３記載の細胞破砕用容器。
【請求項５】
適宜検体と適宜破砕体とを収納できるように形成されると共に、適宜破砕装置によってその筒芯方向に沿う振動が加えられ、検体が破砕体によって細かく破砕される細胞破砕用容器の製造方法であって、略短有底円筒状の底部補強体の筒部の外径を、容器本体の筒部の内径より僅かに小さく形成し、これを容器本体内底部に落とし込み、支持台とポンチを利用して底部補強体上部の開口周縁部を斜上方に拡開するように塑性変形させ、開口周縁部の上端周縁が容器本体の内壁面を圧迫或いは食込むように形成することを特徴とした細胞破砕用容器の製造方法。
【発明の詳細な説明】
【技術分野】
【０００１】
本発明は、例えば、植物や動物や微生物等の適宜検体を細胞レベルで分析する際に使用される細胞破砕用容器に係り、所定量の検体を適宜破砕体と共に収納し、適宜破砕装置にセットされて筒芯方向に加えられる振動により、破砕体が検体を細かく破砕するようにした細胞破砕手段に最適となる細胞破砕用容器及びその製造方法に関するものである。
【背景技術】
【０００２】
従来、この種の細胞破砕用容器としては、例えば、特許文献１に示されているような破砕容器が使用されている。
すなわち、容器本体が適宜合成樹脂材によって細長い円筒容器状に形成され、この容器本体の開口部を適宜合成樹脂材によって形成される蓋体で密閉できるように構成されたものが数多く利用されている。
そして、この破砕容器には、所定量の適宜検体と共に、適宜形状、材質で形成される適数の破砕体が収納され、これを適宜破砕装置に多数セットし、破砕装置が発生する振動によって、破砕容器を振動せしめ、破砕容器内で振動する破砕体によって検体を細かく破砕できるような破砕手段が採用されている。
【０００３】
【特許文献１】特開２００５−８７７７８（図６参照）
【発明の開示】
【発明が解決しようとする課題】
【０００４】
ところが、前述の如き破砕容器にあっては、振動する破砕体は、容器本体の底部や蓋体の基板部への衝突を繰り返すため、これらの部分（特に、容器本体の底部）が損傷する虞（例えば、亀裂が入って破砕中の検体の一部が漏れる等）があった。すなわち、同条件での正確な分析が不可能となると共に、細菌等の分析にあっては感染の危険性が生じる等の問題点があった。
そこで、本発明は、前述の如き難点等を解消できるようにして、構成が簡素で、堅牢で、耐久性に優れ、量産に適し、比較的低廉で、経済的な細胞破砕用容器及びその製造方法を提供すべく創出されたものである。
【課題を解決するための手段】
【０００５】
しかして、前述の如き課題等を達成すべく、請求項１記載の細胞破砕用容器にあっては、適宜検体と適宜破砕体とを収納できるように形成されると共に、適宜破砕装置によってその筒芯方向に沿う振動が加えられ、検体が破砕体によって細かく破砕される細胞破砕用容器であって、適宜合成樹脂製で略有底円筒状の容器本体Ａと、この容器本体Ａの上部開口部分を密閉可能な適宜合成樹脂製の蓋体Ｂと、容器本体Ａの底部に配される適宜金属製の底部補強体１とを少なくとも備え、この底部補強体１によって破砕体の振動による容器本体Ａ底部の損傷を阻止できるように構成する手段を採用した。
【０００６】
また、請求項２記載の細胞破砕用容器にあっては、適宜検体と適宜破砕体とを収納できるように形成されると共に、適宜破砕装置によってその筒芯方向に沿う振動が加えられ、検体が破砕体によって細かく破砕される細胞破砕用容器であって、適宜合成樹脂製で略有底円筒状の容器本体Ａと、この容器本体Ａの上部開口部分を密閉可能な適宜合成樹脂製の蓋体Ｂと、容器本体Ａの底部に配される適宜金属製の底部補強体１と、蓋体Ｂの基板部５に配される適宜金属製の蓋用補強体８とを備え、底部補強体１及び蓋用補強体８によって破砕体の振動による容器本体Ａの底部及び蓋体Ｂの基板部５の損傷を阻止できるように構成する手段を採用した。
【０００７】
更に、請求項３記載の細胞破砕用容器にあっては、前記底部補強体１は、容器本体Ａの底部内周表面に沿うように形成され、その上部の開口周縁部２を斜上方に拡開するように形成すると共に、その上端周縁が容器本体Ａの内壁面を圧迫或いは食込むように構成する手段を採用した。
【０００８】
そして、請求項４記載の細胞破砕用容器にあっては、前記蓋用補強体８は、蓋体Ｂの基板部５内表面に密接するように形成されると共に、蓋用補強体８自身の塑性変形によって、その外周縁が蓋体Ｂの凹部７の内壁面を圧迫或いは食込むように構成する手段を採用した。
【０００９】
それから、請求項５記載の細胞破砕用容器の製造方法にあっては、適宜検体と適宜破砕体とを収納できるように形成されると共に、適宜破砕装置によってその筒芯方向に沿う振動が加えられ、検体が破砕体によって細かく破砕される細胞破砕用容器の製造方法であって、略短有底円筒状の底部補強体１の筒部の外径を、容器本体Ａの筒部の内径より僅かに小さく形成し、これを容器本体Ａ内底部に落とし込み、支持台１０とポンチ１１を利用して底部補強体１上部の開口周縁部２を斜上方に拡開するように塑性変形させ、開口周縁部２の上端周縁が容器本体Ａの内壁面を圧迫或いは食込むように形成する手段を採用した。
【発明の効果】
【００１０】
従って、本発明の請求項１記載の細胞破砕用容器によれば、底部補強体１を設けたことで、容器本体Ａの底部を確実に且つ簡単に補強できるようになり、破砕体の振動による容器本体Ａの底部の損傷を確実に防止できるようになる。ひいては、同条件での正確な分析が可能となり、細菌等の分析にあっては感染の危険性が生じる虞のないものとなる。
しかも、構成が簡素で、堅牢で、耐久性に優れ、量産に適し、比較的低廉となり、経済的で、この種の破砕装置に最適な細胞破砕用容器となる。
【００１１】
また、本発明の請求項２記載の細胞破砕用容器によれば、底部補強体１と蓋用補強体８を設けたことで、容器本体Ａの底部及び蓋体Ｂの基板部５を確実に且つ簡単に補強できるようになり、破砕体の振動による容器本体Ａの底部及び蓋体Ｂの基板部５の損傷を確実に防止できるようになる。ひいては、同条件での正確な分析が可能となり、細菌等の分析にあっては感染の危険性が生じる虞のないものとなる。
しかも、構成が簡素で、堅牢で、耐久性に優れ、量産に適し、比較的低廉となり、経済的で、この種の破砕装置に最適な細胞破砕用容器となる。
【００１２】
更に、本発明の請求項３記載の細胞破砕用容器によれば、底部補強体１が容器本体Ａの底部内周表面に確実に且つ安定的に装着されるようになり、破砕装置の振動によって底部補強体１が容器本体Ａの底部から離れるような虞のないものとなる。
特に、底部補強体１の上部の開口周縁部２を斜上方に拡開するように形成し、その上端周縁が容器本体Ａの内壁面を圧迫或いは食込むように構成したので、底部補強体１が容器本体Ａ内を開口部がわに移動しようとするのを、開口周縁部２の上端周縁で確実に阻止できるようになる。
【００１３】
そして、本発明の請求項４記載の細胞破砕用容器によれば、蓋用補強体８が蓋体Ｂの基板部５底部内表面に確実に且つ安定的に装着されるようになり、破砕装置の振動によって蓋用補強体８が蓋体Ｂの基板部５から離れるような虞のないものとなる。
特に、蓋用補強体８の外周縁が蓋体Ｂの凹部７の内壁面を圧迫或いは食込むように構成したので、蓋用補強体８の装着安定性がより優れたものとなる。
【００１４】
それから、本発明の請求項５記載の細胞破砕用容器の製造方法によれば、容器本体Ａの内周壁を傷つけることなく底部補強体１を容器本体Ａ内底部にスムーズに落とし込め、しかも、開口周縁部２の上端周縁によって容器本体Ａに安定的に固着されて、破砕装置の振動でも底部補強体１が容器本体Ａに対して移動することがないものとなる。また、接着剤も不要で、底部補強体１を能率良く固着できるようになる。
特に、底部補強体１の筒部の外径を、容器本体Ａの筒部の内径より僅かに小さく形成してあるので、これを容器本体Ａ内底部に落とし込む際に、容器本体Ａ底部と底部補強体１との間に残る空気の排除が簡単に行えるようになる。
【発明を実施するための最良の形態】
【００１５】
以下、本発明を図示例に基づいて説明すると、次の通りである。
本発明は、植物（例えば、葉や花や茎や根や種等）や動物（例えば、臓器や筋肉や骨等）や微生物（例えば、大腸菌や枯草菌や糸状菌や酵母等）等の適宜検体を細胞レベルで分析する際に使用される細胞破砕用容器であって、この細胞破砕用容器は、所定量の検体を適宜破砕体と共に収納し、適宜破砕装置にセットされて筒芯方向に加えられる振動により、破砕体が検体を細かく破砕するようにした細胞破砕手段に使用されるものである。
具体的には、適宜合成樹脂製で略有底円筒状の容器本体Ａと、この容器本体Ａの上部開口部分を密閉可能な適宜合成樹脂製の蓋体Ｂと、容器本体Ａの底部に配される適宜金属製の底部補強体１とを少なくとも備え、この底部補強体１によって破砕体の振動による容器本体Ａ底部の損傷を阻止できるように構成したものである。
また、前記細胞破砕用容器に於いて、蓋体Ｂの基板部５に配される適宜金属製の蓋用補強体８と加え、蓋用補強体８によって蓋体Ｂの基板部５の損傷を阻止できるように構成される。
更に、前記底部補強体１は、容器本体Ａの底部内周表面に沿うように形成され、その上部の開口周縁部２を斜上方に拡開するように形成すると共に、その上端周縁が容器本体Ａの内壁面を圧迫或いは食込むように構成される。
そして、前記蓋用補強体８は、蓋体Ｂの基板部５内表面に密接するように形成されると共に、蓋用補強体８自身の塑性変形によって、その外周縁が蓋体Ｂの凹部７の内壁面を圧迫或いは食込むように構成される。
【実施例】
【００１６】
前記容器本体Ａは、例えば、透明或いは透光性を有する適宜合成樹脂材（例えば、ポリエチレン、ポリスチレン、ポリプロピレン等）によって略有底円筒状に一体的に形成され、しかも、その底部は、半球状に形成され、その上部外周表面には適宜雄ネジが設けられている。すなわち、透明或いは透光性を有することにより、容器本体Ａ内の破砕された検体を、外部から容易に視認できるようになっている。
【００１７】
一方、前記蓋体Ｂは、例えば、適宜合成樹脂材（例えば、ポリエチレン、ポリスチレン、ポリプロピレン等）によって略逆有底円筒状に一体的に形成され、略円板状となる基板部５と、この基板部５の外周縁に連設される円筒状の筒部６とからなり、しかも、基板部５の内表面がわに凹部７が形成されている。
しかも、筒部６内周面には雌ネジが設けられ、容器本体Ａの雄ネジに螺着できて、容器本体Ａを確実に且つ簡単に密閉できるように形成されている。
尚、前記凹部７は、基板部５内表面と、これを囲撓する筒部６内周面（或いは、基板部５に連設するように設けられた円筒状の内周壁の内周面でも良い）とによって設けられたものでも良いし、或いは、基板部５内表面を凹設して設けたものでも良い。
【００１８】
前記底部補強体１は、例えば、ステンレスやアルミ等で略短有底円筒状に形成され、容器本体Ａの底部内表面を覆うと共に、この部分に確実に固着されるように形成してある（図２参照）。すなわち、底部補強体１の容器本体Ａ底部内への圧入手段やその他の適宜固着手段等が利用される。
また、底部補強体１は、容器本体Ａを成型する際に、その底部の中に埋設されるようにして設けても良い（図６参照）。
【００１９】
ところで、図３に示すように、略短有底円筒状の底部補強体１の筒部の外径を容器本体Ａの筒部の内径より僅かに小さく形成しておき、これを容器本体Ａ内底部に落とし込み、支持台１０とポンチ１１を利用して底部補強体１上部の開口周縁部２を斜上方に拡開するように塑性変形させ、開口周縁部２の上端周縁が容器本体Ａの内壁面を圧迫或いは食込むように形成する手段を用いて構成しても良い。すなわち、容器本体Ａの内周壁を傷つけることなく底部補強体１を容器本体Ａ内底部にスムーズに落とし込め、しかも、開口周縁部２の上端周縁によって容器本体Ａに安定的に固着されて、破砕装置の振動でも底部補強体１が容器本体Ａに対して移動することがないように形成される。また、底部補強体１を容器本体Ａ内底部に落とし込む際に、容器本体Ａ底部と底部補強体１との間に空気が残って、底部補強体１が容器本体Ａの底部に落とし込めなくなる虞がないように形成される。
【００２０】
前記蓋用補強体８は、例えば、ステンレスやアルミ等で略円板状に形成され、蓋体Ｂの基板部５の内表面を覆うと共に、この部分に確実に固着されるように形成してある（図２参照）。すなわち、蓋体Ｂの凹部７への圧入手段やその他の適宜固着手段等が利用される。
また、蓋用補強体８は、蓋体Ｂを成型する際に、基板部５の中に埋設されるようにして設けても良い（図示せず）。
【００２１】
ところで、図４に示すように、蓋用補強体８の中央部分に膨出部９を設けておき、この蓋用補強体８を凹部７に配し（基板部５の内表面に密接するように配し）、適宜支持台と適宜ポンチ等を利用して膨出部９が平らになるように（蓋用補強体８の外周縁が外がわに広がるように）蓋用補強体８を塑性変形させ、蓋用補強体８の外周縁が蓋体Ｂの凹部７の内壁面（或いは、筒部６の内周面）を圧迫或いは食込むように形成する手段を用いて構成しても良い。すなわち、蓋用補強体８の外周縁によって蓋体Ｂに安定的に固着されて、破砕装置の振動でも蓋用補強体８が蓋体Ｂに対して移動することがないように形成される。
【００２２】
前記破砕装置は、例えば、適宜検体と適宜破砕体が密閉された多数の細胞破砕用容器を同時にセットでき、これらの細胞破砕用容器を筒芯方向に沿って所望の振動を加えられるようにしたものである。
また、前記破砕体は、例えば、ステンレスやタングステン等の金属製球体や、ジルコニアやジルコニアシリカやガラス等の非金属製の球体や、その他適宜材質や形状のものが採用される。
【００２３】
ところで、細胞破砕用容器の具体的構成、形状、寸法、材質、容器本体Ａの具体的構成、形状、寸法、材質、蓋体Ｂの具体的構成、形状、寸法、材質、底部補強体１の具体的構成、形状、寸法、材質、開口周縁部２の具体的構成、形状、寸法、基板部５の具体的構成、形状、寸法、材質、筒部６の具体的構成、形状、寸法、材質、凹部７の具体的構成、形状、寸法、蓋用補強体８の具体的構成、形状、寸法、材質、膨出部９の具体的構成、形状、寸法、数、配設位置、支持台１０の具体的構成、形状、ポンチ１１の具体的構成、形状等は図示例のもの等に限定されることなく適宜自由に設定、変更できるものである。
【図面の簡単な説明】
【００２４】
【図１】本発明の細胞破砕用容器を例示する斜視図である。
【図２】本発明の細胞破砕用容器を例示する縦断面図である。
【図３】本発明の細胞破砕用容器の他の実施例に於ける底部補強体の固着手段を例示する概略図である。
【図４】本発明の細胞破砕用容器の他の実施例に於ける蓋用補強体の固着手段を例示する概略図である。
【図５】本発明の他の細胞破砕用容器を例示する縦断面図である。
【図６】本発明の他の細胞破砕用容器を例示する部分縦断面図である。
【符号の説明】
【００２５】
Ａ      容器本体
Ｂ      蓋体
１      底部補強体
２      開口周縁部
５      基板部
６      筒部
７      凹部
８      蓋用補強体
９      膨出部
１０    支持台
１１    ポンチ
【図１】
2007319736.tif 000003
【図２】
2007319736.tif 000004
【図３】
2007319736.tif 000005
【図４】
2007319736.tif 000006
【図５】
2007319736.tif 000007
【図６】
2007319736.tif 000008